(57)【要約】【課題】  枕に出し入れする充填物の容量と該容量の充填物を出し入れすることによって変化する枕の高さとの関係を予め把握しておき、当該容量の充填物を測定して枕に出し入れすることができ機能を備えた枕を提供する。【解決手段】  袋体内に充填物を充填してなる枕において、前記袋体に充填物の出入口を形成すると共に該出入口と連通する中空路を有する筒体を設け、当該筒体に中空路を塞ぐ少なくとも二つの開閉具を所要間隔空けた状態で設ける。【選択図】  図1
2006068099.tif 000002
【特許請求の範囲】
【請求項１】
袋体内に充填物を充填してなる枕であって、前記袋体には充填物の出入口が形成されていると共に該出入口と連通する中空路を有する筒体が設けられており、当該筒体には中空路を塞ぐ少なくとも二つの開閉具が所要間隔空けた状態で設けられていることを特徴とする枕。
【請求項２】
充填物が粒状のものである請求項１記載の枕。
【請求項３】
開閉具が三つ以上設けられており、各開閉具が異なる間隔を空けて設けられている請求項１又は２記載の枕。
【発明の詳細な説明】
【技術分野】
【０００１】
本発明は、枕に関するものである。
【背景技術】
【０００２】
周知の通り、袋体内にそば殻、もみ殻、樹脂パイプ又は樹脂ビーズなどの各種粒状充填物を充填して使用する枕においては、当該充填物の一部を出し入れすることによって枕の高さを自由に調節することができる。
【０００３】
ところが、前記従来の枕において高さを調節しようとする場合、充填物の一部を出し入れした後に枕の高さがどの程度変化するのかが予測できないため、充填物の一部を出し入れした後、枕を使用してその高さを確認し、好みの高さでないときには、再度、出し入れ作業と高さの確認作業を行う必要があり、この一連の作業を複数回繰り返さなければ使用者の好みにあった最適の高さに調節することができなかった。
【０００４】
また、袋体内に充填物の一部を出し入れする際には、枕の出入口を開放する必要があり、一方、枕を使用して高さを確認する際には、充填物がこぼれ出さないように枕の出入口を閉鎖する必要があるため、その都度、出入口を開閉しなければならず、非常に面倒でもあった。
【０００５】
もっとも、後出特許文献１には、充填物の量を容易に変更できる枕として、袋体に充填物を充填してなる枕において、袋体に充填物出し入れ口を設けて該充填物出し入れ口の内側に柔軟性筒状体の上端を縫着して袋内に収容した枕が開示されており、特許文献１開示の枕においては、充填物の一部を取り出すときは、筒状体を通して手を入れて充填物をつかみ出すことができ、また、枕の高さを確認するときは、筒状体を偏平にして袋体内に収めれば出し入れ口を一々開閉しなくても充填材が出し入れ口からこぼれることがないため、その都度、出し入れ口を開閉する必要がない。
【０００６】
しかし、前記特許文献１開示の枕においても、枕から充填物の一部を出し入れした後に枕の高さがどの程度変化するのかが予測できないことには変わりはなく、やはり、前記一連の作業を複数回繰り返さなければ使用者の好みに合った最適の高さに調節することができず、より簡単な作業で使用者の好みに合った最適の高さに調節することができる枕の開発が望まれている。
【特許文献１】実公平６−２５１９１号公報（第２頁、第１図）
【発明の開示】
【発明が解決しようとする課題】
【０００７】
本発明者は、前記要望に応えるため、種々考察を重ねた結果、出し入れする充填物の容量と該容量の充填物を出し入れすることによって変化する枕の高さとの関係を予め把握しておき、当該容量の充填物を測定して出し入れすることができれば、当該容量の充填物を枕に出し入れした場合における高さの変化量が予測できるため、簡単な作業で使用者の好みに合った最適の高さに調節できるという考えに至った。
【０００８】
そこで、本発明は、枕（袋体）に出し入れする充填物の一部の容量を測定することができる機能を備えた枕を得ることを技術的課題として、その具現化をはかるべく、試作・実験を繰り返した結果、袋体内に充填物を充填してなる枕において、前記袋体に充填物の出入口を形成すると共に該出入口と連通する中空路を有する筒体を設け、当該筒体に中空路を塞ぐ少なくとも二つの開閉具を所要間隔空けた状態で設ければ、当該二つの開閉具を塞くことによって筒体の中空路に閉鎖空間が形成され、当該閉鎖空間を利用することによって出し入れされる充填物の容量を測定することができるという刮目すべき知見を得、前記技術的課題を達成したものである。
【課題を解決するための手段】
【０００９】
前記技術的課題は、次の通りの本発明によって解決できる。
【００１０】
即ち、本発明に係る枕は、袋体内に充填物を充填してなる枕であって、前記袋体には充填物の出入口が形成されていると共に該出入口と連通する中空路を有する筒体が設けられており、当該筒体には中空路を塞ぐ少なくとも二つの開閉具が所要間隔空けた状態で設けられているものである。
【００１１】
また、本発明は、前記枕において、充填物が粒状のものである。
【００１２】
また、本発明は、前記いずれかの枕において、開閉具が三つ以上設けられており、各開閉具が異なる間隔を空けて設けられているものである。
【００１３】
また、本発明における別の実施の形態は、前記いずれかの枕において、袋体内部が複数の区画に分割されており、袋体には各区画毎に充填物の出入口が形成されていると共に該出入口と連通する中空路を有する筒体が設けられているものである。なお、この場合、各区画毎に異なる充填物を充填してもよい。
【発明の効果】
【００１４】
本発明によれば、袋体に形成された充填物の出入口と連通する筒体の中空路に該中空路を塞ぐ少なくとも二つの開閉具を所要間隔空けて設けたので、両開閉具を閉鎖することによって筒体の中空路に閉鎖空間が形成され、当該閉鎖空間を利用することにより袋体に出し入れされる充填物の容量を測定することができるため、予め当該閉鎖空間を満たす充填物の容量と該容量の充填物を袋体に出し入れすることによって変化する枕の高さとの関係を把握しておくことにより、当該容量の充填物を出し入れした際に枕の高さの変化量を予測することができ、充填物を出し入れする作業を何度も繰り返さなくても、使用者の好みに合った最適の高さに簡単に調節することができる。
【００１５】
従って、本発明の産業上利用性は非常に高いといえる。
【発明を実施するための最良の形態】
【００１６】
以下、本発明の実施の形態を図面に基づき説明する。
【００１７】
実施の形態１．
【００１８】
図１は本実施の形態に係る枕を示した斜視図であり、図２は図１に示す枕の高さを下げる手順を示した斜視図であり、図３は図１に示す枕の高さを上げる手順を示した斜視図である。これらの図において、１は、袋体２内に充填物３を充填してなる枕である。
【００１９】
袋体２は、木綿布、ポリエステル布、木綿・ポリエステル合繊布などの布地からなる上面側地４と下面側地５とから構成されており、上面側地４と下面側地５との周縁を一部を残して縫合することにより形成されている。上面側地３と下面側地４との周縁の縫合されていない部分は充填物３を出し入れするための出入口６となっている。そして、袋体２には、出入口６と連通する中空路8を有する筒体７が縫合されている。
【００２０】
筒体７の先端には、中空路８を塞ぐためのスライドファスナー（開閉具）９が設けられており、また、筒体７の中間位置には、中空路８を塞ぐための面ファスナー（開閉具）１０が雄部材１０ａと雌部材１０ｂとを対面させた状態で設けられている。両ファスナー９，１０は、筒体７に所要間隔空けた状態で並列するように位置づけられており、両ファスナー９，１０を閉鎖することによって筒体７の中空路８に閉鎖空間が形成される。
【００２１】
なお、閉鎖空間の容積は、枕１の高さを所定の値だけ上げ下げするために袋体2から出し入れが必要とされる量の充填物３が丁度収納できる容積になっている。
【００２２】
筒体７は、木綿布、ポリエステル布、木綿・ポリエステル合繊布などの柔軟性を有する生地によって形成すればよく、より好ましくは、筒体７の中空路８を通過する充填物３を確認できるようにメッシュ状の生地によって形成すればよい。但し、メッシュ状の生地によって形成された筒体7を使用する場合には、充填物３がメッシュ目から抜け落ちないように充填物３よりも小さなメッシュ目を有する生地によって形成する必要がある。
【００２３】
充填物３は、粒状のものであればよく、枕用充填物として汎用されているそば殻やもみ殻などの天然素材又はパイプやビーズなどの樹脂成形品を使用することができる。
【００２４】
次に、本実施の形態に係る枕１の高さを下げる手順を説明する。
【００２５】
先ず、図２の（ａ）に示すように、筒体７の先端に設けられたスライドファスナー９を閉鎖すると共に、筒体７の中間位置に設けられた面ファスナー１０を開放する。次に、図２の（ｂ）に示すように、袋体２から出入口６を介して充填物３を筒体７の中空路８へ導き、両ファスナー９，１０間を充填物３で満たした状態として面ファスナー１０を閉鎖する。この時、両ファスナー９，１０が閉鎖されて筒体７の中空路８に閉鎖空間が形成されると共に、閉鎖空間内に枕１の高さを所定値だけ下げるために必要な量の充填物３が収容された状態となる。続いて、図２の（ｃ）に示すように、スライドファスナー９を開放して閉鎖空間内の充填物３を外部に取り出す。これにより、枕１の高さが所定値下がる。
【００２６】
次に、本実施の形態に係る枕１の高さを上げる手順を説明する。
【００２７】
先ず、図３の（ａ）に示すように、筒体７の先端に設けられたスライドファスナー９を開放すると共に、筒体７の中間位置に設けられた面ファスナー１０を閉鎖する。次に、図３の（ｂ）に示すように、別途用意した充填物３を筒体７の中空路８へ流し入れ、両ファスナー９，１０間を充填物３で満たした状態としてスライドファスナー９を閉鎖する。この時、両ファスナー９，１０が閉鎖されて筒体７の中空路８に閉鎖空間が形成されると共に、閉鎖空間内に枕１の高さを所定値だけ上げるために必要な量の充填物３が収容された状態となる。続いて、図３の（ｃ）に示すように、面ファスナー９，１０を開放して閉鎖空間内の充填物３を出入口６を介して袋体２へ流し入れる。これにより、枕１の高さが所定値上がる。
【００２８】
なお、枕１を使用する際には、筒体７を出入口６から袋体２の内部に押し込んで収容すればよい。なお、別途用意したカバー（図示せず）に袋体２を収容する場合には、筒体７を袋体２の内部に収容しなくてもよい。
【００２９】
また、袋体２に設けられる筒体７は、枕１を使用した際に人体の首部や後頭部が位置付けられる部分を避けて設けることが好ましく、本実施の形態においては、袋体２の首部や後頭部が位置付けられない側の長辺に設けているが、袋体２の左右いずれかの側辺に設けてもよい。さらに、袋体２の内部が襠などによって複数の区画に分割されており、各区画毎に充填物３が充填されている場合には、各区画毎に充填物３の出入口６を設けると共に該出入口６に連通する筒体７を設ければよい。
【００３０】
実施の形態２．
【００３１】
本実施の形態は前記実施の形態１の枕における筒体の変形例であり、図４は本実施の形態に係る枕の筒体を示した斜視図である。この図において、図１〜図３と同一符号は同一又は相当部分を示している。
【００３２】
本実施の形態に係る筒体７には、先端にスライドファスナー９が設けられており、中間位置に第一面ファスナー（開閉具）１１が設けられており、さらに、袋体２の出入口６寄りの位置に第二面ファスナー（開閉具）１２が設けられている。なお、各ファスナー９，１１，１２は、筒体７に異なる間隔を空けて配置されている。
【００３３】
本実施の形態に係る筒体７によれば、スライドファスナー９と第一面ファスナー１１とを閉鎖することによって筒体７の中空路８に形成される閉鎖空間、スライドファスナー９と第二面ファスナー１２を閉鎖することによって筒体７の中空路８に形成される閉鎖空間及び両面ファスナー１１，１２を閉鎖することによって筒体７の中空路８に形成される閉鎖空間の三つの異なる容量を有する閉鎖空間を形成することができるため、選択的に使用することによってより細かい単位で枕１の高さを調節することができる。
【００３４】
本実施の形態においては、筒体７に開閉具を三つ設けたが、四つ以上設けてもよい。
【００３５】
なお、前記各実施の形態においては、筒体の開閉具としてスライドファスナーや面ファスナーを使用したが、これに限定されることなく、筒体の中空路を塞ぐことができるものであればよい。例えば、筒体の周面に紐を一周させれば、筒体を紐で縛ることにより、筒体の中空路を塞ぐことができる。
【図面の簡単な説明】
【００３６】
【図１】実施の形態１に係る枕を示した斜視図である。
【図２】図１に示す枕の高さを下げる手順を示した斜視図である。
【図３】図１に示す枕の高さを上げる手順を示した斜視図である。
【図４】実施の形態２に係る枕の筒体を示した斜視図である。
【符号の説明】
【００３７】
１  枕
２  袋体
３  充填物
４  上面側地
５  下面側地
６  出入口
７  筒体
８  中空路
９  スライドファスナー
１０  面ファスナー
１０ａ  雄部材
１０ｂ  雌部材
１１  第一面ファスナー
１２  第二面ファスナー
【図１】
2006068099.tif 000003
【図２】
2006068099.tif 000004
【図３】
2006068099.tif 000005
【図４】
2006068099.tif 000006